(57)【要約】【課題】電動送風機の吸引性能の向上を図るとともに、低騒音化も実現する電動送風機を提供することを目的としている。【解決手段】回転することで吸引風を発するインペラを覆うケーシング２３と、前記ケーシング２３の外周に吸引された気流の一部を排出する排気部２１とを備え、前記ケーシング２３の外周に前記排気部２１から排出された気流の流れを方向づけるガイド３０と、前記ガイド３０の外周面に軟質部材３１とを設けたもので、吸引能力アップを実現するとともに、電動送風機７の振動が伝達するのを防止でき、低騒音化も実現できる。【選択図】  図３
2004293460.tif 000002
【特許請求の範囲】
【請求項１】
回転することで吸引風を発するインペラと、前記インペラを覆うケーシングと、前記ケーシングの外周に前記インペラにより吸引された気流の一部を排出する排気部とを備え、前記ケーシングの外周に前記排気部から排出された気流の流れを方向づけるガイドと、前記ガイドの外周面に軟質部材とを設けた電動送風機。
【請求項２】
吸気流入部に向かって傾斜部を有する整流部材を設けた請求項１記載の電動送風機。
【請求項３】
整流部材を軟質部材により固定する構成とした請求項２記載の電動送風機。
【請求項４】
軟質部材の内部に中空部を設けた請求項１〜３のいずれか１項に記載の電動送風機。
【請求項５】
上記請求項１〜４のいずれか１項記載の電動送風機を本体に内蔵した電気掃除機。
【発明の詳細な説明】
【０００１】
【発明の属する技術分野】
本発明は、電気掃除機の吸引風を発する電動送風機に関するものである。
【０００２】
【従来の技術】
まず最初に一般家庭で使用される電気掃除機においては、吸引能力アップのために、流路抵抗の大きいモータ部を通過するまえに、排気風を放出するために、回転することで吸引風を発するインペラを覆うケーシングに排気部を設けるものがあった（例えば、特許文献１参照）。
【０００３】
【特許文献１】
特開２００２−３１０９１号公報
【０００４】
【発明が解決しようとする課題】
しかしながら上記従来の構成において、電動送風機を掃除機本体に配設したときの、振動対策等の構成については開示されていない。
【０００５】
本発明は、上記従来の課題を解決するもので、電動送風機の吸引性能の向上を図るとともに、低騒音化も実現する電動送風機を提供することを目的としている。
【０００６】
【課題を解決するための手段】
上記従来の課題を解決するために本発明は、回転することで吸引風を発するインペラと、前記インペラを覆うケーシングと、前記ケーシングの外周に前記インペラにより吸引された気流の一部を排出する排気部とを備え、前記ケーシングの外周に前記排気部から排出された気流の流れを方向づけるガイドと、前記ガイドの外周面に軟質部材とを設けたもので、インペラを覆うケーシングに排気部を設けたことで、流路抵抗の大きいモータ部を通過するまえに、排気風を放出するとともに、前記ケーシングの外周に前記排気部から排出された気流の流れを方向づけるガイドを設けたことで、吸引能力アップを実現するとともに、前記ガイドの外周面に軟質部材を設け、電動送風機の振動が掃除機本体に伝達するのを防止でき、低騒音化も実現できる。
【０００７】
【発明の実施の形態】
本発明の請求項１記載の発明は、回転することで吸引風を発するインペラと、前記インペラを覆うケーシングと、前記ケーシングの外周に前記インペラにより吸引された気流の一部を排出する排気部とを備え、前記ケーシングの外周に前記排気部から排出された気流の流れを方向づけるガイドと、前記ガイドの外周面に軟質部材とを設けたもので、インペラを覆うケーシングに排気部を設けたことで、流路抵抗の大きいモータ部を通過するまえに、排気風を放出するとともに、前記ケーシングの外周に前記排気部から排出された気流の流れを方向づけるガイドを設けたことで、吸引能力アップを実現するとともに、前記ガイドの外周面に軟質部材を設け、電動送風機の振動が掃除機本体に伝達するのを防止でき、低騒音化も実現できる。
【０００８】
本発明の請求項２および３記載の発明は、吸気流入部に向かって傾斜部を有する整流部材を設け、前記整流部材を軟質部材により固定する構成としたもので、電動送風機の吸気流入部に向かって傾斜部を有する整流部材を設けたことで、空気を電動送風機がスムースに吸引でき、吸引能力アップを実現するとともに、前記整流部材を軟質部材により固定する構成としたことで、低コストで整流部材を電動送風機に固定する構成を実現できる。また、整流部材の振動も軟質部材が吸収するため、低騒音化も実現できる。
【０００９】
本発明の請求項４記載の発明は、軟質部材の内部に中空部を設けたもので、軟質部材の振動吸収性能がさらに向上する。
【００１０】
本発明の請求項５記載の発明は、上記請求項１〜４のいずれか１項記載の電動送風機を本体に内蔵した電気掃除機で、吸引性能の向上を図るとともに、低騒音化も実現する電気掃除機を実現できる。
【００１１】
【実施例】
以下、本発明の一実施例について、図１〜図５に基づいて説明する。なお、従来と同一構成部分については説明を省略する。
【００１２】
図１において、電気掃除機は、塵埃を吸引する吸込具４と、吸引した塵埃を捕集する集塵手段である集塵袋（図示せず）と、塵埃を吸引するための吸引風を発する電動送風機（図示せず）を内蔵した掃除機本体１と、前記集塵袋（図示せず）に連通し前記掃除機本体１に接続したホース２と、前記吸込具４に接続された延長管３とを備え、前記ホース２と延長管３とは前記電動送風機（図示せず）の入力を使用者が操作することで制御する操作部を有する把手部５にて接続されている。なお、吸込具４、延長管３、把手部５、ホース２は吸気通路（図示せず）を有し、集塵袋（図示せず）を介して電動送風機（図示せず）に連通している。
【００１３】
図２において、電動送風機について詳細に説明する。電動送風機７は、回転することで吸引風を発するインペラ２０と、前記インペラ２０を覆うケーシング２３と、前記ケーシング２３の外周に前記インペラ２０により吸引された気流の一部を排出する排気部なる複数個のケーシング開口穴２１を有している。また、前記ケーシング２３の開口穴２１から前記排出口９に至る排気流路２８中に、前記電動送風機７の運転動作を制御（入力を制御）する制御部である制御基板１３、もしく発熱素子１８を配置して、前記複数個のケーシング開口穴２１より排出された気流により前記制御基板１３、もしく発熱素子１８を冷却している。
【００１４】
ケーシング２３の開口穴２１であれば、前記インペラ２０を覆っていて、重量部品を保持はしていないため、電動送風機７自体の剛性低下を招くこともなく、より電動送風機７の信頼性を確保した状態で、制御基板１３もしくは発熱素子１８の冷却を効果的に行うことができる。
【００１５】
基本的に電動送風機７の剛性は、ステータ（図示せず）や自在に回転するロータ（図示せず）を保持固定する負荷側と反負荷側からなるブラケット７の強度で決まる。ケーシング２３は、元々インペラ２０及び整流用のエアーガイド１４を覆い、性能向上を図ることを目的としているため板厚は、０．３〜０．５ｍｍと、ブラケット７が０．８〜１．０ｍｍの板厚であるのに対し、比較的薄いものを使用している。従って、このケーシング２３の外周に複数個のケーシング２３の開口穴２１を設けても、電動送風機７自体の剛性低下に繋がることはなく、電動送風機７の剛性低下による異常スパークの発生、異常振動の発生などを防ぎつつ、制御基板１３もしくは発熱素子１８の冷却を効率的に行うことができる。
【００１６】
また、ケーシング開口穴２１のみではなく、インペラ２０の吸気下流側でエアガイド１４の外周底面部にあたり、電動送風機７の外郭を形成するブラケット１９にも前記インペラ２０により吸引された気流の一部を排出する排気部なる複数個のブラケット開口穴１５を設ければ、より冷却効果を向上させることができる。しかしながらこの場合は、ブラケット１９に開口穴を空けることによる剛性低下が懸念されるため、電動送風機７の共振周波数を測定し、製品仕様に耐えうるレベルで開口穴の数、形状を抑えておくことが重要である。
【００１７】
制御基板１３もしくは発熱素子１８の制御部については、樹脂などからなるカバー体１７で保持し、前記ケーシング２３の開口穴２１から前記排出口９に至る排気流路２８中に配設する。本実施例においては、電動送風機７に保持しており、電動送風機７のブラケット１９等にビス等の締結部品で固定すれば、ケーシング開口穴２１又はブラケット開口穴１５からの吹き出し風が安定した位置で制御基板１３もしくは発熱素子１８に吹き付けるため、より安定して冷却することができる。
【００１８】
さらに前記カバー体１７については、ケーシング開口穴２１又はブラケット開口穴１５からの吹き出し風がカバー体１７に入り込むための流入口１６を設けることにより、より安定して冷却することができる。さらに前記流入口１６については、ケーシング開口穴２１からの吹き出し風に対してはケーシング開口穴からの流入口１６ａとし、ブラケット開口穴１５からの吹き出し風に対してはブラケット開口穴１５からの流入口１６ｂと別々に設けることにより、それぞれの開口穴からの吹き出し風をより効率的に利用することができる。
【００１９】
さらにカバー体１７については、カバー体１７へ流入した吹き出し風が、制御基板１３もしくは発熱素子１８を通過した後、カバー体１７外部へ排出させるための流出口２４を設けることにより、吹き出し風がよりスムーズにカバー体１７内を通過するとともに、集塵袋１２で捕獲できなかった塵埃がカバー体１７内へ流入した際、カバー体１７内へ堆積することなく流出口２４から排出されるため、より制御基板１３もしくは発熱素子１８の信頼性向上を図ることができる。
【００２０】
さらに塵埃に対する信頼性向上を図るには、ケーシング開口穴２１もしくはブラケット開口穴１５とカバー体１７の流入口１６との間にフィルター２５を設けることにより、塵埃がカバー体１７へ入り込むことなく塵埃をフィルター２５で遮断するため、より信頼性の向上を図ることができる。
【００２１】
また、制御基板１３のトライアック等の発熱素子１８については、カバー体１７の流入口１６近傍に配置することが冷却効果の向上には効果的である。さらに制御基板１３のトライアック等の発熱素子１８の冷却効果を向上させるためには、発熱素子１８にフィン１９等の放熱部品をビス等の締結手段で締結してもよい。
【００２２】
さらに冷却構成としては、ケーシング２３の外周に設けたケーシング開口穴２１からの吹き出し風はインペラ２０の遠心方向へ排出されるため、かなりの速度で遠心方向（電動送風機７のラジアル方向）へ排出される。従って、カバー体１７のケーシング開口穴からの流入口１６ａにスムーズに導かれない。従ってケーシング２３外周からカバー体１７までを覆うガイド３０を設け、流路を形成することにより、ケーシング開口穴２１からの流入口１６ａに吹き出し風をスムーズに導くことができる。
【００２３】
図３〜図５において、３０はケーシング２３を覆うように、また前記開口穴２１に対して一定の間隔を保って設けられ、前記開口穴２１からの吹き出し風を流入口１６ａに吹き出し風をスムーズに導くためのガイドである。
【００２４】
３２は電動送風機７の吸気流入部７ａに向かって傾斜部３２ａを有する整流部材で、電動送風機７の吸気流入部７ａに向かって傾斜部３２ａを有する整流部材３２を設けたことで、吸引空気が前記傾斜部３２ａに沿って電動送風機７の吸気流入部７ａに流入することで電動送風機７がスムースに吸引でき、吸引能力のアップを実現させることができる。
【００２５】
３１は軟質部材であるいわゆる防振ゴムで、前記ガイド３０の外周面を覆い前記ケーシング２３の外周に固定とともに、前記整流部材３２を挟み込み前記ケーシング２３に固定している。前記ガイド３０と前記整流部材３２とを軟質部材３１により前記ケーシング２３に固定する構成としたことで、低コストで整流部材３２を電動送風機７に固定する構成を実現できる。また、ガイド３０や整流部材３２の振動も軟質部材３１が吸収するとともに、前記ガイド３０の外周面を覆い前記ケーシング２３の外周に固定しているため、電動送風機７自体の低騒音化も実現できる。また、軟質部材３１の内部に中空部３３を設けることで、軟質部材の振動吸収性能がさらに向上する。
【００２６】
【発明の効果】
本発明によれば、電動送風機の吸引性能の向上を図るとともに、低騒音化も実現する電動送風機を提供できる。
【図面の簡単な説明】
【図１】本発明の一実施例を示す電気掃除機の全体図
【図２】同電動送風機の側部分断面図
【図３】同電動送風機の側部分断面図
【図４】同電動送風機の側部分断面図
【図５】同電動送風機ユニットの展開図
【符号の説明】
７  電動送風機
２０  インペラ
２１  ケーシング開口穴（排気部）
２３  ケーシング
３０  ガイド
３１  軟質部材
３２  整流部材
【図１】
2004293460.tif 000003
【図２】
2004293460.tif 000004
【図３】
2004293460.tif 000005
【図４】
2004293460.tif 000006
【図５】
2004293460.tif 000007